(57)【要約】【課題】  貯水タンク内での水の滞留を抑えることができ、建物の建築後に後付けする場合でも建築工事を伴わず、接続配管が邪魔にならないように短くできると共に、設置スペースを容易に確保できる非常用貯水タンクを提供する。【解決手段】  長さ方向が上下方向となるように地上１１に設置され、内面が断熱材１２で被覆され、上部に流入口１３が設けられ、かつ、下部に流出口１４が設けられた貯水タンク２と、一端が給湯器２１の給水管２２の上流側に流入用ジョイント部２３を介して接続され、かつ、他端が貯水タンク２の流入口１３に接続された流入用配管３と、一端が貯水タンク２の流出口１４に接続され、かつ、流入用ジョイント部２３に固定された流出用ジョイント部２４を介して他端が給湯器２１の給水管２２の下流側に接続された流出用配管４を備えた。【選択図】  図１
2019105101.tif 000002
【特許請求の範囲】
【請求項１】
長さ方向が上下方向となるように地上に設置され、内面が断熱材で被覆され、上部に流入口が設けられ、かつ、下部に流出口が設けられた貯水タンクと、
一端が給湯器の給水管の上流側に流入用ジョイント部を介して接続され、かつ、他端が前記貯水タンクの流入口に接続された流入用配管と、
一端が前記貯水タンクの流出口に接続され、かつ、前記流入用ジョイント部に固定された流出用ジョイント部を介して他端が前記給湯器の給水管の下流側に接続された流出用配管
を備えたことを特徴とする非常用貯水タンク。
【請求項２】
長さ方向が上下方向となるように地上に設置され、内面が断熱材で被覆され、上部に流入口が設けられ、かつ、下部に流出口が設けられた貯水タンクと、
一端が水道の水栓に流入用ジョイント部を介して接続され、かつ、他端が前記貯水タンクの流入口に接続された流入用配管と、
一端が前記貯水タンクの流出口に接続され、かつ、前記流入用ジョイント部に固定された流出用ジョイント部に他端が接続された流出用配管
を備えたことを特徴とする非常用貯水タンク。
【請求項３】
前記流入用ジョイント部と前記流出用ジョイント部の少なくともいずれか一方に逆止弁を内設した請求項１又は２に記載の非常用貯水タンク。
【請求項４】
前記貯水タンク内の前記流入口近傍の中央に、複数の貫通孔が形成された遮蔽板を水平方向に設けた請求項１から３のいずれかに記載の非常用貯水タンク。
【請求項５】
前記貯水タンクの下部に非常時用流出口を設け、
前記非常時用流出口に非常時用バルブを接続した
請求項１から４のいずれかに記載の非常用貯水タンク。
【請求項６】
前記貯水タンクの上部に空気抜き弁を設けた請求項１から５のいずれかに記載の非常用貯水タンク。
【請求項７】
前記流入用配管及び前記流出用配管を外部保温材で被覆した請求項１から６のいずれかに記載の非常用貯水タンク。
【発明の詳細な説明】
【技術分野】
【０００１】
本発明は、地震、台風、洪水、津波等の災害や水道管破裂等により水道が断水した際に飲料水を供給するための非常用貯水タンクに関するものである。
【背景技術】
【０００２】
従来のこの種の技術としては、
タンクの下部に、水道蛇口に接続する逆流防止弁付きの水注入栓を設け、
前記タンクの上部に水取出口を設け、
前記水道蛇口を開いて前記水取出口より水を取出し使用することにより前記タンク内を常時新鮮な水による満水状態を保つようにした
流し溜めタイプの水タンク（例えば、特許文献１参照。）等が知られている。
【先行技術文献】
【特許文献】
【０００３】
【特許文献１】特開平８−２４４８８２号公報（請求項１、図１、等）
【発明の開示】
【発明が解決しようとする課題】
【０００４】
しかし、上記のような流し溜めタイプの水タンクにおいては、タンクの下部に水注入栓を設け、タンクの上部に水取出口を設け、タンク内に水が下方から上方へ向かって流入するように構成されているので、タンク内で発生する渦流による抵抗で水が滞留するおそれがあるという問題点がある。
【０００５】
また、従来の多くの非常用貯水タンクにおいては、建物の建築後に後付けする場合、屋内の既存配管と非常用貯水タンクを接続する接続配管のための貫通孔を壁に設ける工事等の建築工事を伴い、前記接続配管が長くなって邪魔になると共に、水平方向に長い横型であるために設置スペースを確保することが難しいという問題点がある。
【０００６】
本発明は、以上のような事情や問題点に鑑みてなされたものであり、貯水タンク内での水の滞留を抑えることができ、建物の建築後に後付けする場合でも建築工事を伴わず、接続配管が邪魔にならないように短くできると共に、設置スペースを容易に確保できる非常用貯水タンクを提供することを目的とする。
【課題を解決するための手段】
【０００７】
上記目的を達成するための第１の発明は、
長さ方向が上下方向となるように地上に設置され、内面が断熱材で被覆され、上部に流入口が設けられ、かつ、下部に流出口が設けられた貯水タンクと、
一端が給湯器の給水管の上流側に流入用ジョイント部を介して接続され、かつ、他端が前記貯水タンクの流入口に接続された流入用配管と、
一端が前記貯水タンクの流出口に接続され、かつ、前記流入用ジョイント部に固定された流出用ジョイント部を介して他端が前記給湯器の給水管の下流側に接続された流出用配管
を備えたものである。
【０００８】
第２の発明は、
長さ方向が上下方向となるように地上に設置され、内面が断熱材で被覆され、上部に流入口が設けられ、かつ、下部に流出口が設けられた貯水タンクと、
一端が水道の水栓に流入用ジョイント部を介して接続され、かつ、他端が前記貯水タンクの流入口に接続された流入用配管と、
一端が前記貯水タンクの流出口に接続され、かつ、前記流入用ジョイント部に固定された流出用ジョイント部に他端が接続された流出用配管
を備えたものである。
【０００９】
第３の発明は、前記流入用ジョイント部と前記流出用ジョイント部の少なくともいずれか一方に逆止弁を内設したものである。
【００１０】
第４の発明は、前記貯水タンク内の前記流入口近傍の中央に、複数の貫通孔が形成された遮蔽板を水平方向に設けたものである。
【００１１】
第５の発明は、前記貯水タンクの下部に非常時用流出口を設け、前記非常時用流出口に非常時用バルブを接続したものである。
【００１２】
第６の発明は、前記貯水タンクの上部に空気抜き弁を設けたものである。
【００１３】
第７の発明は、前記流入用配管及び前記流出用配管を外部保温材で被覆したものである。
【発明の効果】
【００１４】
第１の発明によれば、縦長形状の貯水タンク内に上部から水が流入し、貯水タンク内に上部から均一に近い状態で水圧がかかり、重力によって下方へ水が押し出されるので、渦流による抵抗が少なく、貯水タンク内での水の滞留を抑えることができると共に、水圧を損なわずに、流入した水量と同じ水量を貯水タンクの下部から貯水タンク外へ流出させることができる。また、非常用貯水タンクは、屋外にある給湯器の給水管に屋外で接続できるので、建物の建築後に後付けする場合でも建築工事を伴わず、接続配管が邪魔にならないように短くできると共に、上下方向に長い縦型であるために設置スペースを容易に確保することができる。
【００１５】
第２の発明によれば、第１の発明と同様の効果の他、水道の水栓から水を使用する際にも、非常用の飲料水を貯水することができる。また、非常用貯水タンクは、屋外にある水道の水栓に屋外で接続できるので、建物の建築後に後付けする場合でも建築工事を伴わず、接続配管が邪魔にならないように短くできると共に、上下方向に長い縦型であるために設置スペースを容易に確保することができる。
【００１６】
第３の発明によれば、水の逆流を防止することができる。
【００１７】
第４の発明によれば、複数の貫通孔の存在により遮蔽板の下方で水が滞留しないと共に、その遮蔽板の存在により貯水タンク内での水の滞留をより確実に抑えることができる。
【００１８】
第５の発明によれば、地震、台風、洪水、津波等の災害や水道管破裂等により水道が断水した非常時には、非常時用バルブの開閉により貯水タンク内の水を適宜使用することができる。
【００１９】
第６の発明によれば、貯水タンク内に溜まった空気を空気抜き弁から抜けば、貯水タンク内の水がよりスムーズに流れる。
【００２０】
第７の発明によれば、流入用配管や流出用配管の内部を通る水の保温が可能である。
【図面の簡単な説明】
【００２１】
【図１】第１実施形態における非常用貯水タンクの概略縦断面図である。
【図２】図１の遮蔽板付近の要部拡大概略横断面図である。
【図３】非常用貯水タンクの他例における遮蔽板付近の要部拡大概略横断面図である。
【図４】第２実施形態における非常用貯水タンクの概略縦断面図である。
【発明を実施するための形態】
【００２２】
以下、本発明の実施形態を、図面に基づいて説明する。
図１及び図２に示すように、第１実施形態における非常用貯水タンク１は、貯水タンク２と流入用配管３と流出用配管４を備えている。
【００２３】
貯水タンク２は、縦長形状かつ横断面形状が例えば円状に形成されており、長さ方向が上下方向となるように地上１１に設置されている。貯水タンク２の内面は、断熱材１２で被覆されている。貯水タンク２の上部には、流入口１３が設けられている。貯水タンク２の下部には、流出口１４が設けられている。貯水タンク２の横断面形状としては、円状の他、図３のような正方形状、多角形状、楕円状等が挙げられる。貯水タンク２の材質としては、プラスチック、金属等が挙げられる。断熱材１２の材質としては、プラスチック発泡体等が挙げられる。
【００２４】
流入用配管３の一端は、給湯器２１の給水管２２の上流側に流入用ジョイント部２３を介して接続されている。流入用配管３の他端は、貯水タンク２の流入口１３に接続されている。給湯器２１としては、ガス給湯器、電気給湯器等が挙げられる。給水管２２の上流側と流入用ジョイント部２３の間には、必要に応じて給水バルブ２２ａを設けておいてもよい。
【００２５】
流出用配管４の一端は、貯水タンク２の流出口１４に接続されている。流出用配管４の他端は、流入用ジョイント部２３に固定された流出用ジョイント部２４を介して給湯器２１の給水管２２の下流側に接続されている。流入用配管３や流出用配管４の材質としては、プラスチック、金属等が挙げられる。
【００２６】
流入用配管３及び流出用配管４は、外部保温材２５で被覆されている。そのため、流入用配管３や流出用配管４の内部を通る水３１の保温が可能であるという利点がある。外部保温材２５の材質としては、プラスチック発泡体等が挙げられる。
【００２７】
流入用ジョイント部２３と流出用ジョイント部２４の例えば両方には、逆止弁（図示せず）が内設されている。このように、流入用ジョイント部２３と流出用ジョイント部２４の少なくともいずれか一方に逆止弁を内設しておけば、水３１の逆流を防止できるという利点がある。
【００２８】
貯水タンク２内の流入口１３近傍の中央には、複数の貫通孔３２、３３が形成された平面視形状が例えば円状の遮蔽板３４が水平方向に設けられている。遮蔽板３４の平面視形状としては、円状の他、図３のような正方形状、多角形状、楕円状等が挙げられる。貫通孔３２、３３の数、大きさ、形成パターン等は、特に限定されるものではなく、必要に応じて適宜変更可能である。
【００２９】
貯水タンク２の下部には非常時用流出口３５を設けられており、非常時用流出口３５には非常時用バルブ３６が接続されている。そのため、地震、台風、洪水、津波等の災害や水道管破裂等により水道が断水した非常時には、非常時用バルブ３６の開閉により貯水タンク２内の水３１を適宜使用できるという利点がある。
【００３０】
貯水タンク２の上部には、空気抜き弁３７が設けられている。そのため、貯水タンク２内に溜まった空気を空気抜き弁３７から抜けば、貯水タンク２内の水３１がよりスムーズに流れるという利点がある。
【００３１】
上記のように構成された非常用貯水タンク１によれば、縦長形状の貯水タンク２内に上部から水３１が流入し、貯水タンク２内に上部から均一に近い状態で水圧がかかり、重力によって下方へ水３１が押し出されるので、渦流による抵抗が少なく、貯水タンク２内での水３１の滞留を抑えることができると共に、水圧を損なわずに、流入した水量と同じ水量を貯水タンク２の下部から貯水タンク２外へ流出させることができるという利点がある。また、非常用貯水タンク１は、屋外にある給湯器２１の給水管２２に屋外で接続できるので、建物の建築後に後付けする場合でも建築工事を伴わず、接続配管が邪魔にならないように短くできると共に、上下方向に長い縦型であるために設置スペースを容易に確保できるという利点がある。
【００３２】
ここで、本実施形態のように、貯水タンク２内の流入口１３近傍の中央に、複数の貫通孔３２、３３が形成された遮蔽板３４を水平方向に設けておけば、複数の貫通孔３２、３３の存在により遮蔽板３４の下方で水３１が滞留しないと共に、その遮蔽板３４の存在により貯水タンク２内での水３１の滞留をより確実に抑えることができるという利点がある。
【００３３】
図４に示すように、第２実施形態における非常用貯水タンク４１は、第１実施形態において、流入用配管３の一端を水道の水栓４２に流入用ジョイント部２３を介して接続し、流入用配管３の他端を貯水タンク２の流入口１３に接続し、流出用配管４の一端を貯水タンク２の流出口１４に接続し、かつ、流出用配管４の他端を、流入用ジョイント部２３に固定された流出用ジョイント部２４に接続したものである。
【００３４】
上記のように構成された非常用貯水タンク４１によれば、第１実施形態と同様の利点の他、水道の水栓４２から水３１を使用する際にも、非常用の飲料水を貯水できるという利点がある。また、非常用貯水タンク４１は、屋外にある水道の水栓４２に屋外で接続できるので、建物の建築後に後付けする場合でも建築工事を伴わず、接続配管が邪魔にならないように短くできると共に、上下方向に長い縦型であるために設置スペースを容易に確保できるという利点がある。
【産業上の利用可能性】
【００３５】
以上のように、本発明の非常用貯水タンクは、貯水タンク内での水の滞留を抑えるための手段、流入水の水圧を損なわず流出させる手段、建物の建築後に後付けする場合でも建築工事を伴わないようにするための手段、接続配管が邪魔にならないように短くするための手段、及び、設置スペースを容易に確保するための手段として有用である。
【符号の説明】
【００３６】
１  非常用貯水タンク
２  貯水タンク
３  流入用配管
４  流出用配管
１１  地上
１２  断熱材
１３  流入口
１４  流出口
２１  給湯器
２２  給水管
２３  流入用ジョイント部
２４  流出用ジョイント部
２５  外部保温材
３２、３３  貫通孔
３４  遮蔽板
３５  非常時用流出口
３６  非常時用バルブ
３７  空気抜き弁
４１  非常用貯水タンク
４２  水栓
【図１】
2019105101.tif 000003
【図２】
2019105101.tif 000004
【図３】
2019105101.tif 000005
【図４】
2019105101.tif 000006